(57)【特許請求の範囲】
【請求項１】
レンチキュラーレンズを通して画像が動いているように見えるレンチキュラープリントシートであって、
画像情報に基づき、少なくとも画像の一部が可変可能な複合画像を所定の画像印刷領域に印刷したプリントシートと、
このプリントシートの前記画像印刷領域に貼り付けられたレンチキュラーレンズとからなり、
前記プリントシート上で前記画像印刷領域外の非印刷領域に、前記複合画像よりも小面積であって該複合画像に対応する確認用のサブ画像を印刷するとともに、
前記複合画像に対応したコード情報を読み取り手段により読み取り可能に設けたことを特徴とするレンチキュラープリントシート。
【請求項２】
請求項１記載のレンチキュラープリントシートにおいて、
前記プリントシート上で前記非印刷領域に、前記複合画像よりも小面積であって該複合画像を構成する各画像に対応する確認用のサブ画像をそれぞれ印刷して並設したことを特徴とするレンチキュラープリントシート。
【請求項３】
請求項１または請求項２記載のレンチキュラープリントシートにおいて、
前記コード情報は、レンチキュラープリントシートを所望する複合画像の注文者情報を含んでいることを特徴とするレンチキュラープリントシート。
【請求項４】
レンチキュラーレンズを通して画像が動いているように見えるレンチキュラープリントシートの生産管理方法であって、
入力された画像情報に基づき、少なくとも画像の一部が可変可能な複合画像を所定の画像印刷領域に印刷し、前記複合画像よりも小面積であって該複合画像に対応する確認用のサブ画像を前記画像印刷領域外の非印刷領域に印刷することによりプリントシートを形成するとともに、
該プリントシートの前記画像印刷領域上にレンチキュラーレンズを貼り付けし、
このレンチキュラーレンズの貼り付け部を所定サイズでカットしてレンチキュラープリント製品を得、
さらに前記プリントシートの前記非印刷領域に設けられた複合画像に対応したコード情報を読み取ることにより、少なくとも前記レンチキュラープリント製品を袋詰めして発送することを特徴とするレンチキュラープリントシートの生産管理方法。
【請求項５】
請求項４記載のレンチキュラープリントシートの生産管理方法において、
前記プリントシート上で前記非印刷領域に、前記複合画像よりも小面積であって該複合画像を構成する各画像に対応する確認用のサブ画像をそれぞれ印刷して並設したことを特徴とするレンチキュラープリントシートの生産管理方法。
【請求項６】
請求項４記載のレンチキュラープリントシートの生産管理方法において、
前記コード情報は、レンチキュラープリントシートを所望する複合画像の注文者情報を含んでおり、
前記袋詰めは、上記のコード情報に基づいて処理されることを特徴とするレンチキュラープリントシートの生産管理方法。
【発明の詳細な説明】
【技術分野】
【０００１】
本発明は、レンチキュラーレンズを通して画像が動いているように見える視覚効果を有するレンチキュラープリントシートおよびその生産管理方法に関する。
【背景技術】
【０００２】
近年、デジタルカメラの普及に伴って、デジタル写真のＷｅｂサービスも広がりを見せており、一般的なプリント写真を初めとして、様々なプリント写真の提供がなされている。
そのなかで、最近は、プリント写真上にレンチキュラーレンズを貼り合わせることにより、その画像があたかも動いているように見える視覚効果を持たせたものも提供されるようになってきており、その多様化は著しいものである（例えば、特許文献１，２参照）。
【０００３】
ここで、レンチキュラー（lenticular；以下レンチキュラープリントシートと称す）とは、シート状のレンチキュラーレンズを用いて、見る角度によって絵柄が変化したり、立体感が得られたりする印刷物のことであって、数ｃｍ角の小型のものから、建物の壁面に取り付けられている広告板などの大型のものまである。
【０００４】
レンチキュラーの構造は、レンチキュラー画像と呼ばれる画像の上に、表面に微細な細長いカマボコ状の凸レンズが無数に並んだシート（レンチキュラーレンズ）が配置されている。このレンチキュラーレンズは透明なプラスチック製のものが使われている。このレンチキュラーレンズを、画像を印刷した印刷物の上に貼り合わせるか、このレンチキュラーレンズの裏面に直接画像を印刷して作られる。レンチキュラー画像は、２つ以上の画像を細長く短冊状に切り、切った画像をインターレース状に順番に並べて１枚の画像にする。そして、画像の１つの細片ごとに１つの凸レンズが載るように貼り合わせる（または印刷する）必要がある。この貼り合わせ時に、位置がずれてしまうときれいに見ることができない。
【０００５】
上述したようなレンチキュラーにより、以下の３種類の効果を得ることができる。
１、見る角度によって絵柄が変わるもの。この場合には、全く異なる複数の画像を組み合わせて使う。
２、アニメーション効果のあるもの。この場合には、少しずつ異なる画像を多数枚組み合わせる。目を動かしていくと動画を見ることができる。
３、３Ｄ効果のあるもの。この場合には、左目用と右目用の、視差が生じる２枚の画像を組み合わせる（ステレオペア）。上の２つとは違い目を動かしてみるのではなく１点から見るだけで立体感を得られる。
【０００６】
画像（複数枚必要）からレンチキュラーを作成するサービスが各社から提供されているほか、レンチキュラーを作成するキットが発売されているので、パソコンを用いて自分で作成することもできるものである。
【先行技術文献】
【特許文献】
【０００７】
【特許文献１】特開昭６１−２８１２１５号公報
【特許文献２】特開昭６１−２４９７８７号公報
【発明の概要】
【発明が解決しようとする課題】
【０００８】
上述したようなレンチキュラープリントシートによれば、これを注文、作成、受領したりする際に若干の問題を生じている。
すなわち、ネット或いは店頭などで一般ユーザーから注文されたオリジナルのレンチキュラーを用いたアニメーション等の商品を提供する場合において、注文したユーザーが受け取るとき、レンチキュラー越しに製品画像を見るため、細かな画像の違いを確認しづらいという問題がある。
【０００９】
さらに、自分が類似した画像をたくさん持っている場合、どの画像を指定したのかわかりづらく、同じものを後日注文しようとした場合にどの画像を選んだのかわからなくなってしまうという問題もある。
【００１０】
また、商品の特性上製品には識別をするマーク・文字等は入れられないため、生産現場で整合性をとる時は管理画面等で確認するしかなかった。
【００１１】
本発明はこのような事情に鑑みてなされたものであり、画像が動くように見える視覚効果が得られるレンチキュラープリントシートを簡単かつ適切に作成し、所要の状態で区別して搬送し、発送することができるレンチキュラープリントシートおよびその生産管理方法を得ることを目的とする。
【課題を解決するための手段】
【００１２】
このような目的に応えるために本発明（請求項１記載の発明）に係るレンチキュラープリントシートは、レンチキュラーレンズを通して画像が動いているように見えるレンチキュラープリントシートであって、画像情報に基づき、少なくとも画像の一部が可変可能な複合画像を所定の画像印刷領域に印刷したプリントシートと、このプリントシートの前記画像印刷領域に貼り付けられたレンチキュラーレンズとからなり、前記プリントシート上で前記画像印刷領域外の非印刷領域に、前記複合画像よりも小面積であって該複合画像に対応する確認用のサブ画像を印刷するとともに、前記複合画像に対応したコード情報を読み取り手段により読み取り可能に設けたことを特徴とする。
【００１３】
本発明（請求項２記載の発明）に係るレンチキュラープリントシートは、請求項１記載のレンチキュラープリントシートにおいて、前記プリントシート上で前記非印刷領域に、前記複合画像よりも小面積であって該複合画像を構成する各画像に対応する確認用のサブ画像をそれぞれ印刷して並設したことを特徴とする。
【００１４】
本発明（請求項３記載の発明）に係るレンチキュラープリントシートは、請求項１または請求項２記載のレンチキュラープリントシートにおいて、前記コード情報は、レンチキュラープリントシートを所望する複合画像の注文者情報を含んでいることを特徴とする。
【００１５】
本発明（請求項４記載の発明）に係るレンチキュラープリントシートの生産管理方法は、レンチキュラーレンズを通して画像が動いているように見えるレンチキュラープリントシートの生産管理方法であって、入力された画像情報に基づき、少なくとも画像の一部が可変可能な複合画像を所定の画像印刷領域に印刷し、前記複合画像よりも小面積であって該複合画像に対応する確認用のサブ画像を前記画像印刷領域外の非印刷領域に印刷することによりプリントシートを形成するとともに、該プリントシートの前記画像印刷領域上にレンチキュラーレンズを貼り付けし、このレンチキュラーレンズの貼り付け部を所定サイズでカットしてレンチキュラープリント製品を得、さらに前記プリントシートの前記非印刷領域に設けられた複合画像に対応したコード情報を読み取ることにより、少なくとも前記レンチキュラープリント製品を袋詰めして発送することを特徴とする。
【００１６】
本発明（請求項５記載の発明）に係るレンチキュラープリントシートの生産管理方法は、請求項４記載のレンチキュラープリントシートの生産管理方法において、前記プリントシート上で前記非印刷領域に、前記複合画像よりも小面積であって該複合画像を構成する各画像に対応する確認用のサブ画像をそれぞれ印刷して並設したことを特徴とする。
【００１７】
本発明（請求項６記載の発明）に係るレンチキュラープリントシートの生産管理方法は、請求項４において、前記コード情報は、レンチキュラープリントシートを所望する複合画像の注文者情報を含んでおり、前記袋詰めは、上記のコード情報に基づいて処理されることを特徴とする。
【発明の効果】
【００１８】
以上説明したように本発明に係るレンチキュラープリントシートおよびその生産管理方法によれば、プリントシートの非印刷領域に、印刷領域に印刷する画像に対応する確認用のサブ画像を印刷するとともに、複合画像に対応した注文者情報等を含むコード情報を印刷するようにしたので、簡単な構成であるにもかかわらず、画像が動くように見える視覚効果が得られる、いわゆるアニメーション製品であるレンチキュラープリント製品を得るためのレンチキュラープリントシートを、注文に応じて簡単かつ適切に作成し、所要の状態で区別して搬送し、発送することができるという種々優れた効果を奏する。
【００１９】
特に、本発明によれば、レンチキュラーレンズを用いたシート状のプリント製品（レンチキュラープリント製品）をユーザーに提供する際に、製品と切り離しがし易いようにした部分にアニメーションに用いた画像をすべて印刷して一緒にユーザーに提供しているから、アニメーション等の複合画像による製品部分と一緒にすべての画像も印刷して提供することにより、ユーザーが注文した製品かどうか簡単に確認でき、また後日同一商品を注文しようとしたときにも、間違いなく簡単に画像の指定ができるようになる。
【００２０】
さらに、上述したように、印刷をするときにアニメーション画像となる複合画像と一緒にサイズだけ小さくしたサブ画像とコード情報となるＱＲコード（登録商標）等をも印刷し、製品を打ち抜いた後も製品ではない打ち抜いたサブ画像を見るだけで安易に作業者が製品とＱＲコードを印刷された製品管理シートが同一であることが確認できるため、生産作業が楽になり、誤発送もなくすことが可能となる等の利点がある。
【図面の簡単な説明】
【００２１】
【図１】本発明に係るレンチキュラープリントシートおよびその生産管理方法の一実施形態を示す概略構成図である。
【図２】本発明に係るレンチキュラープリントシートの生産管理方法を説明するためのフローチャートである。
【発明を実施するための形態】
【００２２】
図１および図２は本発明に係るレンチキュラープリントシートおよびその生産管理方法の一実施形態を示す。
これらの図において、符号１で示すレンチキュラープリントシートによれば、図１（ａ）、（ｂ）に示すように、レンチキュラーレンズを通して画像が動いているように見えるレンチキュラープリント製品となるシート部材を形成するためのものであって、画像情報に基づき少なくとも画像の一部が可変可能なアニメーション画像のような複合画像１２を印刷したプリントシート１１と、このプリントシート１１の画像印刷領域１３に貼り付けられたレンチキュラーレンズ１５とから構成されている。
【００２３】
また、前記プリントシート１１上で複合画像１２の非印刷領域１６には、該画像よりも小面積であって該アニメーション画像に対応する確認用のサブ画像１７が印刷されている。ここで、この実施形態では、複合画像１２を３枚の画像からなるものを用い、これに対応して３枚のサブ画像１７を、画像印刷領域１３の側方の非印刷領域１６に印刷して並設している。
【００２４】
さらに、この非印刷領域１６には、前記複合画像１２に対応したコード情報１８が、読み取り手段（図示せず）により読み取り可能に設けられている。このコード情報１８は、二次元バーコード、たとえばＱＲコードで構成され、レンチキュラープリントシート１を所望する複合画像１２の注文者情報等の商品情報を含んでいる。
【００２５】
このようなレンチキュラープリントシート１は、該シート１を傾けたりして角度を変えることにより、複合画像１２があたかもアニメーションのように変化して見えるようになっている。
【００２６】
また、このようなレンチキュラープリントシート１は、図１の（ｃ）のようにレンチキュラーレンズ１５の貼り付け部を所定形状で打ち抜くことで、レンチキュラープリント製品２０として提供される。
【００２７】
このレンチキュラープリント製品２０は、該レンチキュラープリントシート１の作成時において、図１（ｃ）に示す搬送ボックス２１内に、前記レンチキュラープリント製品２０と、これを打ち抜いた打ち抜き枠シート部２２とを入れて生産工場内で搬送することにより、該製品２０の具体的な内容と注文者情報等を、サブ画像１７、コード情報１８で確認し、これらの情報により注文者宛に発送することができるものである。
【００２８】
以上の構成において、生産工場内でのレンチキュラープリントシート１等の生産は、以下のようにして行う。
すなわち、レンチキュラーレンズ１５を通して画像が動いているように見えるレンチキュラープリントシート１を生産する際には、図２に示すように、注文者が注文時に入力した画像情報に基づく画像データ、注文データを、生産工場内で取得し、これに基づき、少なくとも画像の一部が可変可能な複合画像１２を形成し、当該複合画像１２および該画像よりも小面積であって該画像に対応する確認用のサブ画像１７を印刷することによりプリントシート１１を形成する。
【００２９】
プリントシート１１の画像印刷領域１３において複合画像１２の印刷領域１３上に、図１（ａ），（ｂ）および図２に示すように、レンチキュラーレンズ１５を貼り付けする。
そして、このレンチキュラーレンズ１５の貼り付け部（印刷領域１３）を、図１（ｂ），（ｃ）、図２に示すように、所定サイズ、たとえばレンチキュラーレンズ１５の貼り付け部よりも若干小さめのサイズで打ち抜き、カットする。
【００３０】
さらに、プリントシート１１の非印刷領域１６に設けられた複合画像１２に対応したコード情報１８を読み取ることにより、レンチキュラープリントシート１により得られるレンチキュラープリント製品２０を袋詰めして発送することができる。
【００３１】
ここで、上述したカット後には、図１（ｃ）に示すように、搬送ボックス２１に収納して搬送することにより、当該ボックス２１内のレンチキュラープリント製品２０の内容の把握を、打ち抜き枠シート部２２に記載されているサブ画像１７により簡単かつ適切に行え、またそのレンチキュラープリント製品２０の注文者などの情報も、打ち抜き枠シート部２２に印刷されているコード情報１８から読み取って行うことができる。
【００３２】
この場合において、注文者への発送は、打ち抜き後のレンチキュラープリント製品２０のみでよいが、場合によっては、打ち抜き枠シート部２２も含めて発送し、後日の注文などの際に便利なように注文者に役立てるようにしてもよい。
【００３３】
なお、本発明は上述した実施の形態で説明した構造には限定されず、レンチキュラープリントシート１等を構成する各部の形状、構造等を適宜変形、変更し得ることはいうまでもない。
【符号の説明】
【００３４】
１  レンチキュラープリントシート
１１  プリントシート
１２  複合画像
１３  印刷領域
１５  レンチキュラーレンズ
１６  非印刷領域
１７  サブ画像
１８  コード情報
２０  レンチキュラープリント製品
２１  搬送ボックス
２２  打ち抜き枠シート部
【図１】
0005434506.tif 000002
【図２】
0005434506.tif 000003